(57)【特許請求の範囲】
【請求項１】
吸い込み側開口部と吐き出し側開口部を有する風洞を備えた第１のハウジングと、前記風洞内において回転する複数枚のブレードを備えた第１のインペラと、前記風洞内に配置されて前記第１のインペラを回転させる第１のモータと、前記吐き出し側開口部内に位置して前記第１のモータの固定子を支持する第１のモータ支持部と、前記吐き出し側開口部内に位置し且つ前記第１のインペラの回転方向に所定の間隔をあけて配置されて前記第１のハウジングと前記第１のモータ支持部とを連結するＮ本（Ｎは３以上の整数）の第１のウエブと、前記第１のモータ支持部に設けられたリード線引き出し孔から延び出る複数の第１のリード線とを具備し、１本の前記第１のウエブには前記リード線引き出し孔と連通して前記複数の第１のリード線が通る第１のリード線案内溝が形成されており、前記第１のハウジングには前記第１のリード線案内溝と連通して前記複数の第１のリード線を前記第１のハウジングの外側に引き出す第１のリード線引き出し溝が形成されている第１の単体軸流送風機と、
吸い込み側開口部と吐き出し側開口部を有する風洞を備えた第２のハウジングと、前記風洞内において回転する複数枚のブレードを備えた第２のインペラと、前記風洞内に配置されて前記第２のインペラを回転させる第２のモータと、前記吸い込み側開口部内に位置して前記第２のモータの固定子を支持する第２のモータ支持部と、前記吸い込み側開口部内に位置し且つ前記第２のインペラの回転方向に所定の間隔をあけて配置されて前記第２のハウジングと前記第２のモータ支持部とを連結するＮ本の第２のウエブと、前記第２のモータ支持部に設けられた第２のリード線引き出し孔から延び出る複数の第２のリード線とを具備し、１本の前記第２のウエブには前記第２のリード線引き出し孔と連通して前記複数の第２のリード線が通る第２のリード線案内溝が形成されており、前記第２のハウジングには前記第２のリード線案内溝と連通して前記複数の第２のリード線を前記第２のハウジングの外側に引き出す第２のリード線引き出し溝が形成されている第２の単体軸流送風機とを具備し、
前記第１の単体軸流送風機の前記第１のハウジングにおける前記吐き出し側開口部の周囲を囲む端部に設けられた複数の被係合部と、前記第２の単体軸流送風機の前記第２のハウジングにおける前記吸い込み側開口部の周囲を囲む端部に設けられて前記複数の被係合部と係合する複数の係合部とが係合することにより、前記第１の単体軸流送風機と前記第２の単体軸流送風機とが直列に接続され、
前記複数の被係合部及び前記複数の係合部が、前記第１の単体軸流送風機と前記第２の単体軸流送風機とをそれぞれの軸線を一致させた状態で、前記第１の単体軸流送風機及び前記第２の単体軸流送風機を前記軸線を中心にして所定の角度、相対的に回動させることにより係合状態になる構造を有しており、
前記Ｎ本の第１のウエブと前記Ｎ本の第２のウエブとは、前記第１の単体軸流送風機及び前記第２の単体軸流送風機とが接続された状態で整合してＮ本の静翼を構成するように、それぞれの形状が定められており、
前記複数の第１のリード線が通る前記第１のウエブと前記複数の第２のリード線が通る前記第２のウエブとが整合して１本の前記静翼を構成する直列接続型送風装置であって、
前記複数の第１のリード線が通る前記第１のウエブは、前記第１のリード線案内溝の底部を構成する底壁部と、該底壁部と一体に形成されて前記第１のリード線案内溝の両側に位置する一対の側壁部とを備えており、
前記複数の第２のリード線が通る前記第２のウエブは、前記第２のリード線案内溝の底部を構成する底壁部と、該底壁部と一体に形成されて前記第２のリード線案内溝の両側に位置する一対の側壁部とを備えており、
前記第１のウエブ及び第２のウエブのそれぞれの前記一対の側壁部のうち、前記第１の単体軸流送風機及び前記第２の単体軸流送風機を相対的に回動させるときの相対的回動方向の前方側に位置する前記側壁部は、前記相対的回動方向の後方側に位置する前記側壁部よりも前記底壁部からの高さが低いことを特徴とする直列接続型送風装置。
【請求項２】
前記第１のインペラと前記第２のインペラとは逆方向に回転する請求項１に記載の直列接続型送風装置。
【発明の詳細な説明】
【技術分野】
【０００１】
本発明は、二台の単体軸流送風機が直列接続されてなる直列接続型送風装置に関するものである。
【背景技術】
【０００２】
特開２００４−２７８３７１号公報には、第１の単体軸流送風機と第２の単体軸流送風機とが直列に接続されて構成された直列接続型送風装置が示されている。第１及び第２の単体軸流送風機は、いずれもハウジングと、複数枚のブレードを備えたインペラと、インペラを回転させるモータと、モータの固定子を支持するモータ支持部と、ハウジングとモータ支持部とを連結する３本のウエブとを有している。第１及び第２の単体軸流送風機は、第１の単体軸流送風機と第２の単体軸流送風機とをそれぞれの軸線を一致させた状態で、第１の単体軸流送風機と第２の単体軸流送風機を軸線を中心にして所定の角度、相対的に回動させることにより係合状態になる構造を有している。そして、第１の単体軸流送風機の３本の第１のウエブと第２の単体軸流送風機の３本の第２のウエブとは、第１の単体軸流送風機及び第２の単体軸流送風機とが接続された状態で整合して３本の静翼を構成するように、それぞれの形状が定められている。３本の第１のウエブの内の１本の第１のウエブには複数の第１のリード線が通る第１のリード線案内溝が形成されており、第１のハウジングには複数の第１のリード線を第１のハウジングの外側に引き出す第１のリード線引き出し溝が形成されている。また、３本の第２のウエブの内の１本の第２のウエブにも複数の第２のリード線が通る第２のリード線案内溝か形成されており、第２のハウジングにも複数の第２のリード線を第２のハウジングの外側に引き出す第２のリード線引き出し溝が形成されている。リード線が通る第１及び第２のウエブは、リード線案内溝の底部を構成する底壁部と、リード線案内溝の両側に位置する一対の側壁部とをそれぞれ備えている。そして、一対の側壁部は、底壁部からの高さ寸法が同じ寸法になるように形成されている。この種の直列接続型送風装置では、複数のリード線が通る第１及び第２のウエブ内に複数の第１及び第２のリード線をそれぞれ配置した状態で、第１の単体軸流送風機と第２の単体軸流送風機とを相対的に回動させて両単体軸流送風機を接続している。
【特許文献１】特開２００４−２７８３７１号公報
【発明の開示】
【発明が解決しようとする課題】
【０００３】
しかしながら、従来の直列接続型送風装置では、複数のリード線が通る第１のウエブ１０２の一対の側壁部の端面は軸線と直交する方向に延びる１つの仮想平面内に位置している。また複数のリード線が通る第２のウエブ１０３の一対の側壁部の端面も軸線と直交する方向に延びる１つの仮想平面内に位置している。そのため図９に示すように複数の第１及び第２のリード線の一部１０１が第１及び第２のウエブ１０２，１０３からはみ出ていた場合、第１の単体軸流送風機と第２の単体軸流送風機とを相対的に回動させて両単体軸流送風機を接続する際に、はみ出たリード線１０１が第１及び第２のウエブ１０２，１０３の軸線方向に対向する二つの側壁部間に噛み込まれたり、第１及び第２のウエブ１０２，１０３内に収納されなくなるという問題が生じることがあった。
【０００４】
本発明の目的は、第１の単体軸流送風機と第２の単体軸流送風機とを相対的に回動させて両単体軸流送風機を接続する際に、リード線が１本の静翼を構成する第１及び第２のウエブの側壁部に噛み込まれたり、第１及び第２のウエブ内に収納されなくなるのを防止できる直列接続型送風装置を提供することにある。
【課題を解決するための手段】
【０００５】
本発明が改良の対象とする直列接続型送風装置は、第１の単体軸流送風機と第２の単体軸流送風機とを具備している。第１の単体軸流送風機は、吸い込み側開口部と吐き出し側開口部を有する風洞を備えた第１のハウジングと、風洞内において回転する複数枚のブレードを備えた第１のインペラと、風洞内に配置されて第１のインペラを回転させる第１のモータと、吐き出し側開口部内に位置して第１のモータの固定子を支持する第１のモータ支持部と、吐き出し側開口部内に位置し且つ第１のインペラの回転方向に所定の間隔をあけて配置されて第１のハウジングと第１のモータ支持部とを連結するＮ本（Ｎは３以上の整数）の第１のウエブと、第１のモータ支持部に設けられたリード線引き出し孔から延び出る複数の第１のリード線とを具備している。１本の第１のウエブにはリード線引き出し孔と連通して複数の第１のリード線が通る第１のリード線案内溝が形成されている。第１のハウジングには第１のリード線案内溝と連通して複数の第１のリード線を第１のハウジングの外側に引き出す第１のリード線引き出し溝が形成されている。第２の単体軸流送風機は、吸い込み側開口部と吐き出し側開口部を有する風洞を備えた第２のハウジングと、風洞内において回転する複数枚のブレードを備えた第２のインペラと、風洞内に配置されて第２のインペラを回転させる第２のモータと、吸い込み側開口部内に位置して第２のモータの固定子を支持する第２のモータ支持部と、吸い込み側開口部内に位置し且つ第２のインペラの回転方向に所定の間隔をあけて配置されて第２のハウジングと第２のモータ支持部とを連結するＮ本の第２のウエブと、第２のモータ支持部に設けられた第２のリード線引き出し孔から延び出る複数の第２のリード線とを具備している。１本の第２のウエブには第２のリード線引き出し孔と連通して複数の第２のリード線が通る第２のリード線案内溝が形成されている。第２のハウジングには第２のリード線案内溝と連通して複数の第２のリード線を第２のハウジングの外側に引き出す第２のリード線引き出し溝が形成されている。そして、第１の単体軸流送風機の第１のハウジングにおける吐き出し側開口部の周囲を囲む端部に設けられた複数の被係合部と、第２の単体軸流送風機の第２のハウジングにおける吸い込み側開口部の周囲を囲む端部に設けられて複数の被係合部と係合する複数の係合部とが係合することにより、第１の単体軸流送風機と第２の単体軸流送風機とが直列に接続される。また、複数の被係合部及び複数の係合部が、第１の単体軸流送風機と第２の単体軸流送風機とをそれぞれの軸線を一致させた状態で、第１の単体軸流送風機及び第２の単体軸流送風機を軸線を中心にして所定の角度、相対的に回動させることにより係合状態になる構造を有している。Ｎ本の第１のウエブとＮ本の第２のウエブとは、第１の単体軸流送風機及び第２の単体軸流送風機とが接続された状態で整合してＮ本の静翼を構成するように、それぞれの形状が定められている。そして、複数の第１のリード線が通る第１のウエブと複数の第２のリード線が通る第２のウエブとが整合して１本の静翼を構成する。本発明では、複数の第１のリード線が通る第１のウエブは、第１のリード線案内溝の底部を構成する底壁部と、該底壁部と一体に形成されて第１のリード線案内溝の両側に位置する一対の側壁部とを備えている。また、複数の第２のリード線が通る第２のウエブは、第２のリード線案内溝の底部を構成する底壁部と、該底壁部と一体に形成されて第２のリード線案内溝の両側に位置する一対の側壁部とを備えている。そして、これら複数のリード線が通る第１のウエブ及び第２のウエブのそれぞれの一対の側壁部のうち、第１の単体軸流送風機及び第２の単体軸流送風機を相対的に回動させるときの相対的回動方向の前方側に位置する側壁部は、相対的回動方向の後方側に位置する側壁部よりも底壁部からの高さが低くなっている。なお、本願明細書において、「相対的回動方向」とは、複数のリード線が通る第１のウエブの一対の側壁部について見ると、第１の単体軸流送風機を第２の単体軸流送風機に対して回動させる場合の回動方向であり、複数のリード線が通る第２のウエブの一対の側壁部について見ると、第２の単体軸流送風機を第１の単体軸流送風機に対して回動させる場合の回動方向である。また、本願明細書において「相対的に回動させる」ことには、第１の単体軸流送風機及び第２の単体軸流送風機を互いに回動させる場合、第１の単体軸流送風機及び第２の単体軸流送風機の一方の単体軸流送風機を固定して他方の単体軸流送風機を一方の単体軸流送風機に対して回動させる場合のいずれの場合も含むものである。
【０００６】
本発明のように、回動方向の前方側に位置する側壁部の底壁部からの高さを、相対的回動方向の後方側に位置する側壁部の底壁部からの高さよりも低くすると、複数のリード線が通る第１及び第２のウエブのそれぞれの相対的回動方向の後方側に位置する２つの側壁部の底壁部からの高さが高くなる。その結果、相対的回動を開始する最初の状態において、第１及び第２のウエブの一方のウエブの前方側の側壁部の端面と他方のウエブの前方側の側壁部の端面との間に形成されるスペースが大きくなる。また前方側の側壁部よりも後方側の側壁部の高さが高くなるため、後方側の側壁部をリード線が乗り越えて後方側に移動するおそれがなくなり、しかも前述の大きなスペースを通して複数のリード線を相手のウエブのリード線案内溝内に向かって移動させることができる。その結果、第１の単体軸流送風機と第２の単体軸流送風機とを相対的に回動させて両単体軸流送風機を接続する際に、複数のリード線が通る第１のウエブの１つの側壁部と第２のウエブの１つの側壁部との間にリード線が噛み込まれたり、組み合わされた第１及び第２のウエブ内に一部のリード線が収納されなくなるのを防止することができる。
【０００７】
なお第１のインペラと第２のインペラの回転方向は、同じ方向であっても、また逆方向であってもよい。
【発明の効果】
【０００８】
本発明によれば、第１の単体軸流送風機と第２の単体軸流送風機とを相対的に回動させて両単体軸流送風機を接続する際に、リード線を第１及び第２のウエブの２つの側壁部間に挟むことなく、第１のウエブ及び第２のウエブのリード線案内溝内に複数のリード線を確実に収容した状態で、第１の単体軸流送風機と第２の単体軸流送風機とを結合することができる。
【発明を実施するための最良の形態】
【０００９】
以下、図面を参照して本発明の実施の形態を詳細に説明する。図１は、二重反転式軸流送風機に本発明を適用した本発明の実施の形態の直列接続型送風装置の断面図である。図１に示すように、本例の直列接続型送風装置は、第１の単体軸流送風機１と第２の単体軸流送風機３とが係合構造を介して直列に接続された構造を有している。第１の単体軸流送風機１は、第１のケース５と、第１のケース５内に配置される第１のインペラ７及び第１のモータ９とを有している。第１のインペラ７は、第１のモータ９の回転子９ｂに固定されるカップ状部材１１と、このカップ状部材１１の環状の周壁１１ａの外周面に一体に設けられた５枚のブレード１３とを有している。第１のモータ９は、特開２００８−１７６０７号公報、特許第３９０４５９５号等に示される周知の構造を有している。第１のモータ９は、固定子９ａと回転子９ｂと回転子９ｂに固定された回転軸９ｃとを有しているが、各部材の詳細な説明は省略する。第１のモータ９は、第１のインペラ７を図１の左側から見た状態で反時計回り方向に回転させる。本例では、第１のモータ９は、後述する第２のインペラ４９の回転速度よりも速い速度で第１のインペラ７を回転させる。
【００１０】
第１のケース５は、図２に詳細に示すように、第１のハウジング１５と第１のモータ支持部１７とＮ本（Ｎは３以上の整数：本例では４本）の第１のウエブ１９，２１，２３，２５とを有している。なお、図２は、図１に示す直列接続型送風装置の第１の単体軸流送風機１と第２の単体軸流送風機３とを分離して、第１の単体軸流送風機１の第１のケース５を第２の単体軸流送風機３との接合部側から見た斜視図である。第１のハウジング１５は、第１のモータ９の回転軸９ｃの軸線Ａが延びる方向（軸線方向）の一方側に環状の吸い込み側フランジ２７を有し、軸線方向の他方側に環状の吐き出し側フランジ２９を有している。また両フランジ２７，２９の間には筒部３１が形成されている。
【００１１】
吸い込み側フランジ２７は、ほぼ四角い輪郭形状を有しており、内部に八角形の吸い込み側開口部３３を有している（図１参照）。吸い込み側フランジ２７の４つの角部には、図示しない取付用螺子が貫通する貫通孔２７ａがそれぞれ形成されている。
【００１２】
吐き出し側フランジ２９も、ほぼ四角い輪郭形状を有しており、内部に円形の吐き出し側開口部３５を有している。本例では、吸い込み側フランジ２７と筒部３１と吐き出し側フランジ２９の内部空間により、吸い込み側開口部３３と吐き出し側開口部３５を有する風洞が構成されている。吐き出し側フランジ２９は、４つの角部２９ａ〜２９ｄを有している。角部２９ｄの近傍には、第１のモータ９を駆動させる複数の第１のリード線を第１のハウジング１５の外側に引き出す第１のリード線引き出し溝２９ｅが形成されている。吐き出し側フランジ２９（第１のハウジング１５における吐き出し側開口部３５の周囲を囲む端部）には、第１及び第２の単体軸流送風機１，３を接続するための係合に用いられる４つの第１の嵌合溝３７と３つの第２の嵌合溝３９が形成されている。４つの第１の嵌合溝３７は、吐き出し側フランジ２９の４つの角部２９ａ〜２９ｄにそれぞれ形成されており、吐き出し側フランジ２９を貫通する貫通孔から構成されている。角部２９ａに形成した第１の嵌合溝３７に符号を付して説明すると、第１の嵌合溝３７は、フック通過孔３７ａとフック通過孔３７ａに連続するフック移動孔３７ｂとを有している。フック通過孔３７ａは、半円弧状部分３７ｃを有しており、取付用螺子が貫通する貫通孔を兼ねている。フック移動孔３７ｂは、円弧形状を呈している。
【００１３】
３つの第２の嵌合溝３９は、第１のリード線引き出し溝２９ｅに隣接する角部２９ｄを除く３つの角部２９ａ，２９ｂ及び２９ｃにそれぞれ形成されている。図２及び該図２のIII−III線断面図である図３に示すように、第２の嵌合溝３９は、突起移動溝３９ａと突起移動溝３９ａに連続する係合溝３９ｂとを有している。突起移動溝３９ａは、吐き出し側フランジ２９の側面に開口する開口部３９ｃを有している。突起移動溝３９ａの底面３９ｄは、開口部３９ｃから係合溝３９ｂに向かうに従って第２の単体軸流送風機３に近づくように傾斜している。これにより、係合溝３９ｂと突起移動溝３９ａとの間に段差が形成されることになる。
【００１４】
第１のモータ支持部１７は、吐き出し側開口部３５内に位置して第１のモータ９の固定子９ａを支持しており、円板状の底壁部１７ａと底壁部１７ａから第１のインペラ７側に立ち上がる円筒形の側壁部１７ｂとを有している。底壁部１７ａ及び側壁部１７ｂの一部には、複数の第１のリード線が引き出されるリード線引き出し孔１７ｃが形成されている。
【００１５】
４本の第１のウエブ１９，２１，２３，２５は、吐き出し側開口部３５内に位置し且つ第１のインペラ７の回転方向に所定の間隔をあけて配置されて、第１のハウジング１５と第１のモータ支持部１７の側壁部１７ｂとを連結している。４本の第１のウエブ１９，２１，２３，２５は、第１の単体軸流送風機１と第２の単体軸流送風機３とが接続された状態で後述する４本の第２のウエブ５９，６１，６３，６５と整合して４本の静翼８７，８９，９１，９３（図７参照）を構成するように、それぞれの形状が定められている。図２を別の角度からみた部分拡大図である図４に示すように、４本の第１のウエブ１９，２１，２３，２５の内の１本の第１のウエブ１９には第１のモータ９を駆動させるために用いる複数の第１のリード線が通る第１のリード線案内溝１９ａが形成されている。第１のリード線案内溝１９ａは、第１のモータ支持部１７のリード線引き出し孔１７ｃと第１のハウジング１５の第１のリード線引き出し溝２９ｅとに連通している。第１のウエブ１９は、第１のリード線案内溝１９ａの底部を構成する底壁部４１と、該底壁部４１と一体に形成されて第１のリード線案内溝１９ａの両側に位置する一対の側壁部４３，４５とを備えている。一対の側壁部４３，４５のうち、後述するような第１の単体軸流送風機１及び第２の単体軸流送風機３を相対的に回動させるときの相対的回動方向の前方側に位置する一方の側壁部４３は、相対的回動方向の後方側に位置する他方の側壁部４５よりも底壁部４１からの高さが低くなっている。本例では、一方の側壁部４３は、第２の単体軸流送風機３に対向する平坦面４３ａと平坦面４３ａの両端に位置する２つの傾斜面４３ｂ，４３ｃとを有している。傾斜面４３ｂは、第１のモータ支持部１７と平坦面４３ａとの間に位置しており、第１のモータ支持部１７から平坦面４３ａに向かうにしたがって、底壁部４１に近づくように傾斜している。傾斜面４３ｃは、平坦面４３ａと吐き出し側フランジ２９との間に位置しており、平坦面４３ａから吐き出し側フランジ２９に向かうにしたがって、底壁部４１から離れるように傾斜している。他方の側壁部４５は、第２の単体軸流送風機３に対向する平坦面４５ａと平坦面４５ａの両端に位置する２つの傾斜面４５ｂ，４５ｃとを有している。傾斜面４５ｂは、第１のモータ支持部１７と平坦面４５ａとの間に位置しており、第１のモータ支持部１７から平坦面４５ａに向かうにしたがって、底壁部４１から離れるように傾斜している。傾斜面４５ｃは、平坦面４５ａと吐き出し側フランジ２９との間に位置しており、平坦面４５ａから吐き出し側フランジ２９に向かうにしたがって、底壁部４１に近づくように傾斜している。第１の単体軸流送風機１及び第２の単体軸流送風機３を相対的に回動させて両者を接続する態様については後に詳細に説明する。
【００１６】
図１に戻って説明すると、第２の単体軸流送風機３は、第２のケース４７と、第２のケース４７内に配置される第２のインペラ４９及び第２のモータ５１とを有している。第２のインペラ４９は、第２のモータ５１の回転子５１ｂに固定されるカップ状部材５３と、このカップ状部材５３の環状の周壁５３ａの外周面に一体に設けられた４枚のブレード５６とを有している。また、第２のモータ５１も第１のモータ９と同様に特開２００８−１７６０７号公報、特許第３９０４５９５号等に示される周知の構造を有している。第２のモータ５１は、固定子５１ａと回転子５１ｂと回転子５１ｂに固定された回転軸５１ｃとを有しているが、各部材の詳細な説明は省略する。第２のモータ５１は、第２のインペラ４９を図１の左側から見た状態で時計回り方向に回転させる。即ち、第１のインペラ７の回転方向と逆方向に第２のインペラ４９を回転させる。そして、前述したように、第２のインペラ４９は、第１のインペラ７の回転速度よりも遅い速度で回転させられる。
【００１７】
第２のケース４７は、図５に詳細に示すように、第２のハウジング５５と第２のモータ支持部５７とＮ本（Ｎは３以上の整数：本例では４本）の第２のウエブ５９，６１，６３，６５とを有している。なお、図５は、図１に示す直列接続型送風装置の第１の単体軸流送風機１と第２の単体軸流送風機３とを分離して、第２の単体軸流送風機３の第２のケース４７を第１の単体軸流送風機１との接合部側から見た斜視図である。第２のハウジング５５は、第２のモータ５１の回転軸５１ｃの軸線Ａが延びる方向（軸線方向）の一方側に環状の吸い込み側フランジ６７を有し、軸線方向の他方側に環状の吐き出し側フランジ６９を有している。また両フランジ６７，６９の間には筒部７１が形成されている。
【００１８】
吸い込み側フランジ６７は、ほぼ四角い輪郭形状を有しており、内部に円形の吸い込み側開口部７３を有している。吸い込み側フランジ６７の４つの角部６７ａ〜６７ｄには、図示しない取付用螺子が貫通する貫通孔６７ｅがそれぞれ形成されている。吸い込み側フランジ６７の角部６７ｄ近傍には、第２のモータ５１を駆動させる複数の第２のリード線を第２のハウジング５５の外側に引き出す第２のリード線引き出し溝６７ｆが形成されている。吸い込み側フランジ６７（第２のハウジング５５における吸い込み側開口部７３の周囲を囲む端部）には、第１及び第２の単体軸流送風機１，３を接続するための係合に用いられる４つのフック７５と３つの突起７７が一体に形成されている。４つのフック７５は、吸い込み側フランジ６７の４つの角部６７ａ〜６７ｄにそれぞれ設けられている。角部６７ａに形成したフック７５に符号を付して説明すると、フック７５は、角部から軸線Ａに沿って立ち上がる胴部７５ａと、この胴部７５ａの先端に一体に取り付けられた頭部７５ｂとを有している。頭部７５ｂは、径方向外側に向かって胴部７５ａの先端部から突出している。これにより、頭部７５ｂと胴部７５ａとの間に段差が形成される。
【００１９】
突起７７は、第２のリード線引き出し溝６７ｆに隣接する角部６７ｄを除く３つの角部６７ａ，６７ｂ及び６７ｃにおいて、貫通孔６７ｅをフック７５との間に挟む位置に設けられている。突起７７は、フック７５と同様に、第１のケース５側に突出している。突起７７は、同じ角部に位置するフック７５から離れるに従って第１のケース５に近づくように傾斜する傾斜面７７ａを有している。この傾斜面７７ａは図３に示す突起移動溝３９ａの底面３９ｄ上を摺動する。また突起７７は、傾斜面７７ａの先端部から第２のケース４７側に向かって軸線方向に伸びる端面７７ｂを有している。この端面７７ｂは、係合溝３９ｂの内面に係合する。本例では、第１の嵌合溝３７及び第２の嵌合溝３９により複数の被係合部が構成されており、フック７５及び突起７７により複数の係合部が構成されている。
【００２０】
吐き出し側フランジ６９は、ほぼ四角い輪郭形状を有しており、内部に八角形の吐き出し側開口部７９を有している(図１参照）。また、吐き出し側フランジ６９の４つの角部には、取付用螺子が貫通する貫通孔６９ａがそれぞれ形成されている。本例では、吸い込み側フランジ６７と筒部７１と吐き出し側フランジ６９の内部空間により、吸い込み側開口部７３と吐き出し側開口部７９を有する風洞が構成されている。
【００２１】
第２のモータ支持部５７は、吸い込み側開口部７３内に位置して第２のモータ５１の固定子５１ａを支持しており、円板状の底壁部５７ａと底壁部５７ａから第２のインペラ４９側に立ち上がる円筒形の側壁部５７ｂとを有している。底壁部５７ａ及び側壁部５７ｂの一部には、複数の第２のリード線が引き出されるリード線引き出し孔５７ｃが形成されている。
【００２２】
４本の第２のウエブ５９，６１，６３，６５は、吸い込み側開口部７３内に位置し且つ第２のインペラ４９の回転方向に所定の間隔をあけて配置されて、第２のハウジング５５と第２のモータ支持部５７の側壁部５７ｂとを連結している。図５を別の角度から見た部分拡大図である図６に示すように、４本の第２のウエブ５９，６１，６３，６５の内の１本の第２のウエブ５９には第２のモータ５１を駆動させる複数の第２のリード線が通る第２のリード線案内溝５９ａが形成されている。第２のリード線案内溝５９ａは、第２のモータ支持部５７のリード線引き出し孔５７ｃと第２のハウジング５５の第２のリード線引き出し溝６７ｆとに連通している。第２のウエブ５９は、第２のリード線案内溝５９ａの底部を構成する底壁部８１と、該底壁部８１と一体に形成されて第２のリード線案内溝５９ａの両側に位置する一対の側壁部８３，８５とを備えている。一対の側壁部８３，８５のうち、後述するような第１の単体軸流送風機１及び第２の単体軸流送風機３を相対的に回動させるときの相対的回動方向の前方側に位置する一方の側壁部８３は、相対的回動方向の後方側に位置する他方の側壁部８５よりも底壁部８１からの高さが低くなっている。本例では、一方の側壁部８３は、第１の単体軸流送風機１に対向する平坦面８３ａと平坦面８３ａの両端に位置する２つの傾斜面８３ｂ，８３ｃとを有している。傾斜面８３ｂは、第２のモータ支持部５７と平坦面８３ａとの間に位置しており、第２のモータ支持部５７から平坦面８３ａに向かうにしたがって、底壁部８１に近づくように傾斜している。傾斜面８３ｃは、平坦面８３ａと吸い込み側フランジ６７との間に位置しており、平坦面８３ａから吸い込み側フランジ６７に向かうにしたがって、底壁部８１から離れるように傾斜している。他方の側壁部８５は、第１の単体軸流送風機１に対向する平坦面８５ａと平坦面８５ａの両端に位置する２つの傾斜面８５ｂ，８５ｃとを有している。傾斜面８５ｂは、第２のモータ支持部５７と平坦面８５ａとの間に位置しており、第２のモータ支持部５７から平坦面８５ａに向かうにしたがって、底壁部８１から離れるように傾斜している。傾斜面８５ｃは、平坦面８５ａと吸い込み側フランジ６７との間に位置しており、平坦面８５ａから吸い込み側フランジ６７に向かうにしたがって、底壁部８１に近づくように傾斜している。
【００２３】
本例の送風機では、次のようにして、第１の単体軸流送風機１の第１のケース５と第２の単体軸流送風機３の第２のケース４７とを組み合わせる。まず、図７（Ａ）の一部破断図に示すように、第１のケース５の端部と第２のケース４７の端部とを互いに近づけて、第２のケース４７の４つのフック７５の頭部７５ｂを第１のケース５の４つの第１の嵌合溝３７のフック通過孔３７ａにそれぞれ挿入する。このとき第２のケース４７の３つの突起７７が第１のケース５の３つの第２の嵌合溝３９の開口部３９ｃ内に入り、第１の単体軸流送風機１と第２の単体軸流送風機３とはそれぞれの軸線が一致する。なお、実際には、第１のケース５と第２のケース４７とを組み合わせる際には、ケース内にインペラ及びモータが配置されている。しかし図７では、理解を容易にするため、インペラ及びモータを省略して描いている。また、第１及び第２のウエブ１９，５９内に配置される第１及び第２のリード線も省略している。
【００２４】
次に、第１の単体軸流送風機１の第１のケース５と第２の単体軸流送風機３の第２のケース４７とをそれぞれの軸線Ａを一致させた状態で、第１のケース５及び第２のケース４７を軸線Ａを中心にして所定の角度、相対的に回動させる。具体的には、第１のケース５は第２のケース４７に向かって時計方向となる方向（矢印Ｄ１）に回動させ、第２のケース４７は第１のケース５に向かって時計方向となる方向（矢印Ｄ２）に回動させる。図７（Ｂ）は回動後の斜視図である。この回動は両ケースを相互に回動させてもよく、一方のケースを固定して他方のケースを一方のケースに対して回動させてもよい。この回動により、フック７５の胴部７５ａが第１の嵌合溝３７のフック移動孔３７ｂ内を移動して、フック７５の頭部７５ｂと胴部７５ａとの間の段差が吐き出し側フランジ２９に係合してフック７５の第１の嵌合溝３７からの抜け止めが図られる。また、突起７７は、第２の嵌合溝３９の突起移動溝３９ａ内を移動し、係合溝３９ｂ内に嵌合する（図３参照）。また、４本の第１のウエブ１９，２１，２３，２５と４本の第２のウエブ５９，６１，６３，６５とがそれぞれ整合して４本の静翼８７，８９，９１，９３が構成される（静翼８９は図示していないが、便宜的に符号を明細書中に記載する）。リード線が内部に配置される第１のウエブ１９と第２のウエブ５９においては、第１のウエブ１９の一方の側壁部４３の平坦面４３ａと第２のウエブ５９の他方の側壁部８５の平坦面８５ａとが対向し、第１のウエブ１９の一方の側壁部４３の傾斜面４３ｂ，４３ｃと第２のウエブ５９の他方の側壁部８５の傾斜面８５ｂ，８５ｃとがそれぞれ対向する。また、第１のウエブ１９の他方の側壁部４５の平坦面４５ａと第２のウエブ５９の一方の側壁部８３の平坦面８３ａとが対向し、第１のウエブ１９の他方の側壁部４５の傾斜面４５ｂ，４５ｃと第２のウエブ５９の一方の側壁部８３の傾斜面８３ｂ，８３ｃとがそれぞれ対向する（図４及び図６参照）。
【００２５】
本例の直列接続型送風装置では、図１に示すように、第１のインペラ７が一方の方向に回転し、第２のインペラ４９が第１のインペラ７と逆方向の他方の方向に回転すると、矢印Ｆに示すように第１のハウジング１５の吸い込み側開口部３３から第２のハウジング５５の吐き出し側開口部７９側に送風される。
【００２６】
また、本例の直列接続型送風装置では、図８に示すように、第１のウエブ１９の一対の側壁部４３，４５のうち、第１の単体軸流送風機１及び第２の単体軸流送風機３を相対的に回動させるときの相対的回動方向（矢印Ｄ１）の前方側に位置する側壁部４３は、相対的回動方向（矢印Ｄ１）の後方側に位置する側壁部４５よりも底壁部４１からの高さが低くなっている。また、第２のウエブ５９の一対の側壁部８３，８５のうち、第１の単体軸流送風機１及び第２の単体軸流送風機３を相対的に回動させるときの相対的回動方向（矢印Ｄ２）の前方側に位置する側壁部８３は、相対的回動方向（矢印Ｄ２）の後方側に位置する側壁部８５よりも底壁部８１からの高さが低くなっている。そのため、第１のウエブ１９の側壁部４３と、第２のウエブ５９の側壁部８３との間の距離Ｌ１（スペース）が図９に示す従来の送風装置の距離Ｌ１０１より長くなる（スペースが大きくなる）。また、第１のウエブ１９の側壁部４５の一部４５ｄの分だけ側壁部４５の底壁部４１からの高さが従来より高くなり、第２のウエブ５９の側壁部８５の一部８５ｄの分だけ側壁部８５の底壁部８１からの高さが従来より高くなるため、後方側の側壁部４５及び８５をリード線が乗り越えて後方側に移動するおそれがなくなる。しかも前述の大きなスペースを通して複数のリード線を相手のウエブのリード線案内溝内に向かって移動させることができる。その結果、第１の単体軸流送風機１と第２の単体軸流送風機３とを相対的に回動させて両単体軸流送風機を接続する際に、複数のリード線が通る第１のウエブ１９の１つの側壁部と第２のウエブ５９の１つの側壁部との間にリード線が噛み込まれたり、組み合わされた第１及び第２のウエブ１９及び５９内に一部のリード線が収納されなくなるのを防止することができる。
【図面の簡単な説明】
【００２７】
【図１】本発明の実施の形態の直列接続型送風装置の断面図である。
【図２】図１に示す直列接続型送風装置の第１のケースの斜視図である。
【図３】図２のIII−III線断面図である。
【図４】図２を別の角度から見た部分拡大図である。
【図５】図１に示す直列接続型送風装置の第２のケースの斜視図である。
【図６】図５を別の角度から見た部分拡大図である。
【図７】（Ａ）及び（Ｂ）は、図１に示す直列接続型送風装置において、第１の単体軸流送風機の第１のケースと第２の単体軸流送風機の第２のケースとを組み合わせる態様を説明するために用いる図である。
【図８】（Ａ）〜（Ｃ）は、図１に示す直列接続型送風装置において、第１のウエブと第２のウエブとが接合する態様を示す図である。
【図９】（Ａ）〜（Ｃ）は、従来の直列接続型送風装置において、第１のウエブと第２のウエブとが接合する態様を示す図である。
【符号の説明】
【００２８】
１  第１の単体軸流送風機
３  第２の単体軸流送風機
７  第１のインペラ
９  第１のモータ
１５  第１のハウジング
１７  第１のモータ支持部
１７ｃ  リード線引き出し孔
１９，２１，２３，２５  第１のウエブ
１９ａ  第１のリード線案内溝
２９ｅ  第１のリード線引き出し溝
３７  第１の嵌合溝
３９  第２の嵌合溝
４１  底壁部
４３，４５  側壁部
４９  第２のインペラ
５１  第２のモータ
５５  第２のハウジング
５７  第２のモータ支持部
５７ｃ  リード線引き出し孔
５９，６１，６３，６５  第２のウエブ
５９ａ  第２のリード線案内溝
６７ｆ  第２のリード線引き出し溝
７５  フック
７７  突起
８１  底壁部
８３，８５  側壁部
８７，８９，９１，９３  静翼
【図１】
0004682221.tif 000002
【図２】
0004682221.tif 000003
【図３】
0004682221.tif 000004
【図４】
0004682221.tif 000005
【図５】
0004682221.tif 000006
【図６】
0004682221.tif 000007
【図７】
0004682221.tif 000008
【図８】
0004682221.tif 000009
【図９】
0004682221.tif 000010